(57)【要約】【課題】簡易な構造で、かご室壁を厚くすることなく、取り付け、取り外しができ、取替えが可能なエレベータのかご室を提供する。【解決手段】かご床６と、かご床６上方に配置される天井１０と、かご床６上面縁部に設けられる下部嵌め込み溝６ａと、天井１０下面縁部に設けられる上部嵌め込み溝１０ｂと、下端部が下部嵌め込み溝６ａに上方から着脱自在に嵌め込まれるとともに上端部が上部嵌め込み溝１０ｂに下方から着脱自在に嵌め込まれてかご床６と天井１０に固定されるかご室壁とを備えた。【選択図】図３
2008265955.tif 000002
【特許請求の範囲】
【請求項１】
かご床と、
前記かご床上方に配置される天井と、
前記かご床上面縁部に設けられる下部嵌め込み溝と、
前記天井下面縁部に設けられる上部嵌め込み溝と、
下端部が前記下部嵌め込み溝に上方から着脱自在に嵌め込まれるとともに上端部が前記上部嵌め込み溝に下方から着脱自在に嵌め込まれて前記かご床と前記天井に固定されるかご室壁と、
を備えたことを特徴とするエレベータのかご室。
【請求項２】
かご床と、
前記かご床上面縁部に固定される巾木と、
前記巾木上方に配置される天井と、
前記巾木上面に設けられる下部嵌め込み溝と、
前記天井下面縁部に設けられる上部嵌め込み溝と、
下端部が前記下部嵌め込み溝に上方から着脱自在に嵌め込まれるとともに上端部が前記上部嵌め込み溝に下方から着脱自在に嵌め込まれて前記巾木と前記天井に固定されるかご室壁と、
を備えたことを特徴とするエレベータのかご室。
【請求項３】
かご室壁は、内側から下部嵌め込み溝と上部嵌め込み溝に嵌め込まれることを特徴とした請求項１又は請求項２に記載のエレベータのかご室。
【請求項４】
天井は、据え付け前は据え付け完了後の正規位置よりも上方に配置されるようにかご枠に仮吊りされ、
上部嵌め込み溝は、前記天井下面よりも突出する突出外側面を有し、
かご室壁は、前記突出外側面に上端部を当接させながら持ち上げられて下方へ移動されて下端部が下部嵌め込み溝に上方から嵌め込まれた後、前記天井が仮吊りから開放されて下方に移動されて上端部が前記上部嵌め込み溝に下方から嵌め込まれることを特徴とする請求項３記載のエレベータのかご室。
【請求項５】
天井は、据え付け前は据え付け完了後の正規位置よりも上方に配置されるようにかご枠に仮吊りされ、
上部嵌め込み溝は、深底を有し、
かご室壁は、上端部が前記上部嵌め込み溝に下方から嵌め込まれた状態で持ち上げられて下方へ移動されて下端部が下部嵌め込み溝に上方から嵌め込まれた後、前記天井が仮吊りから開放されて下方に移動されて上端部が前記上部嵌め込み溝により深く嵌め込まれることを特徴とする請求項３記載のエレベータのかご室。
【請求項６】
天井は、据え付け前後を通して予め据え付け完了後の正規位置に配置されるようにかご枠に固定され、
上部嵌め込み溝は、深底を有し、
かご室壁は、上端部が前記上部嵌め込み溝に下方から嵌め込まれた状態で持ち上げられて下方へ移動されて下端部が下部嵌め込み溝に上方から嵌め込まれることを特徴とした請求項３記載のエレベータのかご室。
【発明の詳細な説明】
【技術分野】
【０００１】
この発明は、エレベータのかご室に関するものである。
【背景技術】
【０００２】
従来のエレベータのかご室は、かご内からかご室壁を取り付け可能なようにかご床に巾木台を設けて、巾木台上にかご室壁をボルト、ナット等を用いて固定している。そして、その後に天井をかご室壁の上部にボルト、ナット等を用いて固定している。しかし、従来のエレベータのかご室では、かご室壁をかご床と天井に締結する際にボルト、ナット等の締め付けに時間がかかっていた。また、一度据え付けたかご室は、長年エレベータを使用することによりかご室壁表面に汚れ、傷等が発生した場合でも壁の取替えを行うにはかご室の分解、再組立が必要であり、この場合も時間がかかっていた。
【０００３】
そこで、かご室壁を容易に取替え可能とすることを目的として、かご床と、天井板と、前記かご床の各辺の縁部に立設された複数の支持部材と、前記複数の支持部材のそれぞれの内側に設けられた嵌合部材と、裏面側に前記嵌合部材と嵌脱可能な被嵌合部材が設けられた複数の意匠壁とを備え、前記複数の意匠壁が、前記嵌合部材に前記被嵌合部材を嵌合させて前記かご床と前記天井板との間の空間を取り囲むように前記複数の支持部材に取り付けられているエレベータのかご室が提案されている（例えば、特許文献１参照）。
【０００４】
また、隣接する壁本体の衝合部を締め付け固定するエレベータのかご室において、パネル状の壁本体と、この壁本体の表面に取り付けられ、かご室の壁表面を構成する表面板とを備え、前記表面板のみ着脱自在な構成としたエレベータのかご室も提案されている（例えば、特許文献２参照）。
【０００５】
さらには、天井部の周縁部及び床部の周縁部に設置される幅木（巾木）にそれぞれ形成されたガイド部と、前記側板の上下端部に設けられた前記ガイド部にスライド可能に係合するレール部とを備え、前記ガイド部に前記レール部をガイドさせた状態で各側板をスライドさせ、順次前記複数枚の側板を組み込んでいくエレベータのかご室も提案されている（例えば、特許文献３参照）。
【０００６】
【特許文献１】特開平７−２０６３２７号公報
【特許文献２】特開２００４−３３１３２５号公報
【特許文献３】特開２００４−１５５５６２号公報
【発明の開示】
【発明が解決しようとする課題】
【０００７】
しかし、特許文献１及び特許文献２に記載のものは、かご室壁を容易に取替え可能であるが、構造が複雑なために据え付けに時間がかかったり、かご室壁が厚くなるといった問題がある。
【０００８】
一方、特許文献３記載のものは、天井部及び巾木にレール部を設け、壁を巾木のレール部に嵌め込んでスライドさせることで据え付けも容易に行うことが可能である。しかし、後壁（背面壁）を据え付ける時もかごの出入口側のレール部から後壁を嵌め込んでスライドさせなければならず、また、巾木の他にレール部も設ける必要があるため、特許文献１等と同様に構造が複雑でかご室壁が厚くなるといった問題に加え、コストが高くなるといった問題がある。
【０００９】
この発明は、簡易な構造で、かご室壁を厚くすることなく、取り付け、取り外しができ、取替えが可能なエレベータのかご室を提供することである。
【課題を解決するための手段】
【００１０】
この発明に係るエレベータのかご室は、かご床と、前記かご床上方に配置される天井と、前記かご床上面縁部に設けられる下部嵌め込み溝と、前記天井下面縁部に設けられる上部嵌め込み溝と、下端部が前記下部嵌め込み溝に上方から着脱自在に嵌め込まれるとともに上端部が前記上部嵌め込み溝に下方から着脱自在に嵌め込まれて前記かご床と前記天井に固定されるかご室壁とを備えたものである。
【発明の効果】
【００１１】
この発明は、かご床と、前記かご床上方に配置される天井と、前記かご床上面縁部に設けられる下部嵌め込み溝と、前記天井下面縁部に設けられる上部嵌め込み溝と、下端部が前記下部嵌め込み溝に上方から着脱自在に嵌め込まれるとともに上端部が前記上部嵌め込み溝に下方から着脱自在に嵌め込まれて前記かご床と前記天井に固定されるかご室壁とを備える構成としたことで、かご室壁を厚くすることなく、取り付け、取り外しができ、取替えが可能なエレベータのかご室を提供することができる。
【発明を実施するための最良の形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベータのかご室の斜視図であって、かご室壁の取り付け前を示す図、図２はこの発明の実施の形態１におけるエレベータのかご室に使用される仮天井吊手段の斜視図、図３はこの発明の実施の形態１におけるエレベータのかご室の正面図であって、側面壁の取り付け中を示す図、図４はこの発明の実施の形態１におけるエレベータのかご室の正面図であって、かご室壁の仮支持が完了した状態を示す図、図５はこの発明の実施の形態１におけるエレベータのかご室の正面図であって、かご室の据え付けが完了した状態を示す図である。
【００１４】
図において、１は上下両側にガイドシュー２が設けられ、乗客が乗降するエレベータのかご室を支持するかご枠である。このかご枠１は、下枠３、下枠３両端から立設するかご枠柱４、両かご枠柱４上端に支持される水平投影面略ロ字状に連結される複数の角パイプ形状体からなる上枠５から構成されている。６は下枠３及び斜筋かい７を介してかご枠柱４に支持されて乗客を支え、かごの出入口側にかごの敷居８、床エプロン９等が設けられるかご床である。このかご床６上面縁部のかごの出入口部以外には、縦断面略Ｌ字形状体が取り付けられる等して下部嵌め込み溝６ａが設けられている。１０は下面中央に照明１１が取り付けられ、かご床６上方に配置される天井である。この天井１０下面縁部のかごの出入口部以外には、下面から下方へ突出する突出外側面１０ａを有する上部嵌め込み溝１０ｂが設けられている。また、１２は複数の側面壁１２ａ、１２ｂ、背面壁１２ｃ、袖壁（図示せず）からなるかご室壁である（図３〜図５参照）。このかご室壁１２は、かご室内側から下端部が下部嵌め込み溝６ａに上方から着脱自在に嵌め込まれるとともに、上端部が上部嵌め込み溝１０ｂに下方から着脱自在に嵌め込まれてかご床６と天井１０に固定されるものである。
【００１５】
ここで、１３は、上枠５のかごの出入口側及びその対向側の所定箇所に配置され、据え付け前の天井１０を据え付け完了後の正規位置へよりも上方に配置するように着脱自在に仮吊りする仮天井吊手段である。この仮天井吊手段１３は、引止金具１４、仮天井吊金具１５、蝶ナットからなる締結具１６の三部材から構成されている（図２参照）。引止金具１４は、上枠５上面に固定されてかご室内側に突出する反り上がり部１４ａに切り欠き穴１４ｂが設けられており、仮天井吊金具１５の上部を構成する調整ねじ棒１５ａが貫通する。この調整ねじ棒１５ａには、上方から締結具１６がねじ込まれて引止金具１４上面に係合する。そして、仮天井吊金具１５の下部には、かご室内側に折り曲げ形成される略Ｊ字状の天井受部１５ｂが形成されており、据え付け前の天井１０縁部が係合する構成である。なお、かごの出入口側においては天井１０下面が仮天井吊金具１５の天井受部１５ｂに係合する一方、かごの出入口対向側においては上部嵌め込み溝１０ｂの突出外側面１０ａの下端部が仮天井吊金具１５の天井受部１５ｂに係合する。このため、天井１０をバランスよく仮吊りするように、適宜、締結具１６のねじ込み量が調整されている。また、引止金具１４の反り上がり部１４ａの外れ止め作用により、締結具１６が引止金具１４から脱落しないようになっている。
【００１６】
次に、かご床６、天井１０とかご室壁１２の取り付け及び取り外し手順を説明する。まず、天井１０が仮天井吊手段１３により仮吊りされている状態で、かご室壁１２は、一枚毎にかご室内側から上端部を上部嵌め込み溝１０ｂの突出外側面１０ａに当接させながら持ち上げられ（図３参照）、下方へ移動されて下端部が下部嵌め込み溝６ａに上方から嵌め込まれる（図４参照）。これにより、かご室壁１２は、昇降路（図示せず）側へ倒れ込むことなく、容易にかご床６に仮支持される。なお、図３においては、一側の側面壁１２ａの取り付け中であり、他側の側面壁１２ｂ及び背面壁１２ｃは、下端部が既にかご床６の下部嵌め込み溝６ａに嵌め込まれて仮支持されているが、その取り付け手順は一側の側面壁１２ａと同様である。さらに、かごの出入口両側に配置される袖壁の取り付け手順も同様である。
【００１７】
次いで、かご室壁１２は、隣接されるもの同士が互いに締結具（図示せず）等で固定される。その後、仮天井吊手段１３の締結具１６を弛緩することで天井１０が仮吊りから開放されて下方へ移動されて据え付け完了後の正規位置へ配置される。このとき、かご室壁１２の上端部が上部嵌め込み溝１０ｂに下方から嵌め込まれて天井１０を支持する状態でかご室壁１２の取り付けが完了する（図５参照）。なお、かご室の据え付け者がかご室壁１２の両側端を掴んで持ち上げると指を挟んだりする可能性があるため、かご室壁１２表面に付けられた巨大な吸盤（図示せず）を用いて持ち上げることにより安全性を確保する場合もある。また、かご室壁１２の取り付け完了後は、仮天井吊金具１５及び締結具１６を完全に取り外す場合もあるが（図５参照）、天井１０が据え付け完了後の正規位置になるように締結具１６のねじ込み量を調整するのみで取り外さない場合もある。
【００１８】
一方、かご室壁１２の取り外す場合は、まず、仮天井吊金具１５の天井受部１５ｂを天井１０縁部に係合した状態で調整ねじ棒１５ａを引止金具１４の切り欠き穴１４ｂに貫通させる。その後、仮天井吊金具１５の調整ねじ棒１５ａに上方から締結具１６がねじ込まれる。そして、締結具１６が引止金具１４上面に当接した後もねじ込まれ続けることにより天井１０が上方に移動される。このとき、かご室壁１２の上端部は、天井１０の上部嵌め込み溝１０ｂから下方へ解放される。その後、かご室壁１２同士の固定が解放される。次いで、一枚毎に持ち上げられて下端部が下部嵌め込み溝６ａから上方へ解放され、かご室壁１２の取り外しが完了する。
【００１９】
以上で説明した実施の形態１によれば、かご室壁１２は、一枚毎にかご室内側から容易に取り付け及び取り外しが可能であるため、かご室壁１２に汚れ、傷等が付いて交換が必要になったときも短時間で取替えができる。また、簡易な構造のため、かご室壁１２を厚くする必要もない。なお、かご室壁１２の取り付け後、適宜、隣接するかご室壁１２同士、または、かご床６や天井１０をかご室壁１２とダブルナットを用いて固定したり、外れ止めを設けたりすることにより、かご室壁１２の横ずれやぐらつきをより確実に防止できるのは言うまでもない。
【００２０】
実施の形態２．
図６はこの発明の実施の形態２におけるエレベータのかご室の斜視図であって、かご室壁の取り付け前を示す図、図７はこの発明の実施の形態２におけるエレベータのかご室の要部拡大図であって、取り付け中のかご室壁の上端部を示す図である。なお、実施の形態１と同一又は相当部分には同一符号を付して説明を省略する。
【００２１】
実施の形態１では、天井１０は、据え付け前まで、上枠５のかごの出入口側及びその対向側の所定箇所に配置される仮天井吊手段１３によって上枠５に着脱自在に仮吊りされている（図１参照）。一方、実施の形態２では、天井１０は、据え付け前まで、上枠５のかごの両側の所定箇所に配置される仮天井吊手段１７によって上枠５に着脱自在に仮吊りされている（図６参照）。なお、実施の形態２における仮天井吊手段１７を構成する引止金具１８、仮天井吊金具１９、締結具２０は、配置以外は実施の形態１における引止金具１４、仮天井吊金具１５、締結具１６と同様の機能を備えている。この場合、据え付け前の天井１０は、両側とも上部嵌め込み溝１０ｂの突出外側面１０ａの下端部が仮天井吊金具１９の天井受部１９ｂに係合する構成となる。また、実施の形態２においては、上部嵌め込み溝１０ｂは、天井１０下面から下方へ突出する突出内側面１０ｃも備え、深底を有している。
【００２２】
この場合、かご室壁１２は、天井１０が仮天井吊手段１７により仮吊りされた状態で、一枚毎に、障子を桟に嵌め込むようにかご室内側から上端部を突出外側面１０ａ及び突出内側面１０ｃも含む深底の上部嵌め込み溝１０ｂに下方から嵌め込まれて持ち上げられた後（図７参照）、下方へ移動されて下端部が下部嵌め込み溝６ａに上方から嵌め込まれる。次いで、かご室壁１２は、隣接されるもの同士が互いに締結具（図示せず）等で固定される。その後、仮天井吊手段１７の締結具２０を弛緩することで天井１０が仮吊りから開放されて下方へ移動されて据え付け完了後の正規位置へ配置される。このとき、かご室壁１２の上端部が突出外側面１０ａ及び突出内側面１０ｃをも含む深底の上部嵌め込み溝１０ａに下方からより深く嵌め込まれてかご室壁１２の取り付けが完了する。
【００２３】
一方、かご室壁１２の取り外す場合は、まず、仮天井吊金具１９の天井受部１９ｂを天井１０縁部に係合した状態で調整ねじ棒１９ａを引止金具１８の切り欠き穴１８ｂに貫通させる。その後、仮天井吊金具１９の調整ねじ棒１９ａに上方から締結具２０がねじ込まれる。そして、締結具２０が引止金具１８上面に当接した後もねじ込まれ続けることにより天井１０が上方に移動される。このとき、かご室壁１２の上端部は、天井１０の上部嵌め込み溝１０ｂに浅く嵌め込まれた状態となる。その後、かご室壁１２同士の固定が解放される。次いで、一枚毎に持ち上げられて下端部が下部嵌め込み溝６ａから上方へ解放された後に上端部が上部嵌め込み溝１０ｂから下方へ解放され、かご室壁１２の取り外しが完了する。
【００２４】
以上で説明した実施の形態２によれば、実施の形態１と同様の効果に加え、据え付け前の天井１０は、両側とも上部嵌め込み溝１０ｂの突出外側面１０ａが仮天井吊金具１９の天井受部１９ｂに係合しているため、バランスよく仮吊りすることができる。また、かご室壁１２の上端部は、突出外側面１０ａ及び突出内側面１０ｃも含む深底の上部嵌め込み溝１０ａに下方からより深く嵌め込まれるため、より強固にかご床６と天井１０に固定される。
【００２５】
実施の形態３．
図８はこの発明の実施の形態３におけるエレベータのかご室の正面図であって、側面壁の取り付け中を示す図、図９はこの発明の実施の形態３におけるエレベータのかご室の正面図であって、かご室の据え付けが完了した状態を示す図である。なお、実施の形態１と同一又は相当部分には同一符号を付して説明を省略する。
【００２６】
実施の形態１及び実施の形態２では、天井１０は、据え付け前は仮天井吊手段１３により仮吊りされ、かご室壁１２の下端部が下部嵌め込み溝６ａに上方から嵌め込まれて仮支持された後、仮吊りから開放されて下方へ移動されて据え付け完了後の正規位置へ配置される構成であった。一方、実施の形態３では、天井１０は、かごの出入口側及びその対向側の所定箇所に配置され、実施の形態１の仮天井吊手段１３と類似した天井固定手段２１により上枠５に固定されて支持されている。これにより、天井１０は、据え付け前後を通じて予め据え付け完了後の正規位置に配置される構成である。即ち、天井固定手段２１は、引止金具２２と、天井固定金具２３と、締結具２４から構成されるが、実施の形態１及び実施の形態２と異なり、かご室壁１２の取り付け後も天井１０を開放しないものである。
【００２７】
また、実施の形態１における天井１０は、その下面縁部に下方へ突出する突出外側面１０ａを有する上部嵌め込み溝１０ｂが設けられていた。一方、実施の形態３における天井１０は、突出外側面１０ａを有さないが実施の形態１よりも深さを有し、実施の形態２における突出外側面１０ａ及び突出内側面１０ｃも含む上部嵌め込み込み溝１０ａと同程度の深さを有する深底の上部嵌め込み溝１０ｄが設けられている。
【００２８】
この場合、かご室壁１２は、一枚毎に、実施の形態２と同様に障子を桟に嵌め込むようにかご室内側から上端部が上部嵌め込み溝１０ｄに下方から深く嵌め込まれて持ち上げられた後（図８参照）、下方へ移動されて下端部が下部嵌め込み溝６ａに上方から嵌め込まれる（図９参照）。次いで、かご室壁１２は、隣接されるもの同士が互いに締結具等で固定されてかご室壁１２の取り付けが完了する。
【００２９】
一方、かご室壁１２の取り外す場合は、まず、かご室壁１２同士の固定が解放される。次いで、かご室壁１２は、一枚毎にかご室内側から持ち上げられて下端部が下部嵌め込み溝６ａから上方へ解放される。その後、上端部が上部嵌め込み溝１０ｄから下方へ解放されて、かご室壁１２の取り外しが完了する。
【００３０】
以上で説明した実施の形態３によれば、かご室壁１２は、実施の形態１よりも深さを有する深底の上部嵌め込み溝１０ｄに深く嵌め込まれるため、より強固にかご床６と天井１０に固定される。さらに、天井１０は天井固定手段２１により上枠５に固定されて支持されるため、天井１０に重量物を積載したり、天井１０自体に重量のある意匠を施す場合でもかご室壁１２の強度を増す必要がない。なお、かご床６及びかご室壁１２の位置が天井１０から多少離れても、天井１０の上部嵌め込み溝１０ｄからかご室壁１２の上端部が外れないめ、防振ゴムが撓む防振のかご床６にも対応可能である。
【００３１】
実施の形態４．
図１０はこの発明の実施の形態４におけるエレベータのかご室の要部拡大図であって、かご室壁下端部近傍を示す図である。なお、実施の形態１等と同一又は相当部分には同一符号を付して説明を省略する。
【００３２】
実施の形態１〜実施の形態３では、側壁面１２ａ等のかご室壁１２の下端部が嵌め込まれる下部嵌め込み溝６ａは、かご床６上面縁部に設けられていた。一方、実施の形態４では、下部嵌め込み溝２５ａは、かご床６上面縁部に固定される巾木２５上面に設けられている。そして、巾木２５上方に天井１０が配置される構成である。即ち、実施の形態４では、かご室壁１２は、下端部が下部嵌め込み溝２５ａに上方から着脱自在に嵌め込まれるとともに上端部が上部嵌め込み溝１０ｂ等に下方から着脱自在に嵌め込まれて巾木２５と天井１０に固定される。
【００３３】
以上で説明した実施の形態４によれば、実施の形態１〜実施の形態３と同様の効果に加え、エレベータの乗客の靴等との接触によるかご室壁１２下部の汚れ、傷等を防止できる。
【図面の簡単な説明】
【００３４】
【図１】この発明の実施の形態１におけるエレベータのかご室の斜視図であって、かご室壁の取り付け前を示す図である。
【図２】この発明の実施の形態１におけるエレベータのかご室に使用される仮天井吊手段の斜視図である。
【図３】この発明の実施の形態１におけるエレベータのかご室の正面図であって、側面壁の取り付け中を示す図である。
【図４】この発明の実施の形態１におけるエレベータのかご室の正面図であって、側面壁の仮支持が完了した状態を示す図である。
【図５】この発明の実施の形態１におけるエレベータのかご室の正面図であって、かご室の据え付けが完了した状態を示す図である。
【図６】この発明の実施の形態２におけるエレベータのかご室の斜視図であって、かご室壁の取り付け前を示す図である。
【図７】この発明の実施の形態２におけるエレベータのかご室の要部拡大図であって、取り付け中のかご室壁の上端部を示す図である。
【図８】この発明の実施の形態３におけるエレベータのかご室の正面図であって、側面壁の取り付け中を示す図である。
【図９】この発明の実施の形態３におけるエレベータのかご室の正面図であって、かご室の据え付けが完了した状態を示す図である。
【図１０】この発明の実施の形態４におけるエレベータのかご室の要部拡大図であって、取り付け後のかご室壁下端部を示す図である。
【符号の説明】
【００３５】
１  かご枠
２  ガイドシュー
３  下枠
４  かご枠柱
５  上枠
６  かご床
６ａ  下部嵌め込み溝
７  斜筋かい
８  かごの敷居
９  床エプロン
１０  天井
１０ａ  突出外側面
１０ｂ  上部嵌め込み溝
１０ｃ  突出内側面
１０ｄ  上部嵌め込み溝
１１  照明
１２  かご室壁
１２ａ、１２ｂ  側面壁
１２ｃ  背面壁
１３  仮天井吊手段
１４  引止金具
１４ａ  反り上がり部
１４ｂ  切り欠き穴
１５  仮天井吊金具
１５ａ  調整ねじ棒
１５ｂ  天井受部
１６  締結具
１７  仮天井吊手段
１８  引止金具
１８ｂ  引止金具
１９  仮天井吊金具
１９ａ  調整ねじ棒
１９ｂ  天井受部
２０  締結具
２１  天井固定手段
２２  引止金具
２３  天井固定金具
２４  締結具
２５  巾木
２５ａ  下部嵌め込み溝
【図１】
2008265955.tif 000003
【図２】
2008265955.tif 000004
【図３】
2008265955.tif 000005
【図４】
2008265955.tif 000006
【図５】
2008265955.tif 000007
【図６】
2008265955.tif 000008
【図７】
2008265955.tif 000009
【図８】
2008265955.tif 000010
【図９】
2008265955.tif 000011
【図１０】
2008265955.tif 000012